(57)【要約】      （修正有）【課題】カントのある既設線路を、カントのない線路に切換える工事を短時間に完了させることができる線路移動方法を提供する。【解決手段】既設レールＲ１，Ｒ２を支持する枕木１０を水平な長枕木１１に置き換えて設置する工程と、既設レールのカントに応じた高さを有する特殊タイプレートを長枕木上に設置してレール締結装置により既設レールを固定する工程と、長枕木の既設レール敷設部位以外の部位であって新レール１２Ａ、１２Ｂの敷設予定の部位に新レールを敷設してタイプレートおよびレール締結装置によって新レールを固定する工程と、曲線部の既設レールのうち新レールの延長上に位置するレール部分のレール締結装置およびタイプレートを除去する工程と、設置済みの新レールと連続するようにレールを移設もしくは追加してタイプレートおよびレール締結装置によって直線状のレールを固定する工程とを含むようにした。【選択図】図１
2018119261.tif 000002
【特許請求の範囲】
【請求項１】
既設レールを固定するレール締結装置およびタイプレートを除去して既設レールを支持する枕木を、既設レール敷設部位から新レール敷設部位に跨る長枕木に置き換えて、当該長枕木を道床上に水平に設置する第１工程と、
前記既設レールまたは新レールが有するカントに応じた高さの扛上部を備えた特殊タイプレートを前記長枕木上の所定部位に設置して、レール締結装置により、カントのある既設レールまたは新レールを固定する第２工程と、
前記長枕木の既設レール敷設部位以外の部位であって前記既設レールの延長上の新レール敷設予定の部位に新レールを敷設して、新たなタイプレートおよびレール締結装置によって前記新レールを固定する第３工程と、
前記既設レールのうち、前記新レールの延長上に位置するレール部分のレール締結装置およびタイプレートを除去する第４工程と、
設置済みの前記新レールと連続するようにレールを移設もしくは追加して、タイプレートおよびレール締結装置によって前記移設または追加したレールを固定する第５工程と、
含むことを特徴とする線路移動方法。
【請求項２】
前記第１工程においては、予め所定の間隔をおいて複数の個所に、前記タイプレートを前記長枕木に固定するボルトもしくはネジを螺合させるための埋込栓またはネジ穴を形成した長枕木を設置し、
前記第５工程においては、複数個所の前記埋込栓またはネジ穴のうちいずれかを選択して前記タイプレートを前記長枕木に固定することを特徴とする請求項１に記載の線路移動方法。
【請求項３】
カントのある既設レールをカントのない新レールに切換える工事に適用される場合に、前記第５工程においては、前記既設レールのうち曲線部を真っ直ぐに矯正して前記直線状のレールに変更することを特徴とする請求項１または２に記載の線路移動方法。
【請求項４】
前記第２工程においては、前記新レールの端部から移設または追加された前記既設レールの端部に連続する部位に継目板を取り付けるとともに、当該継目板のある箇所のレールがカントに応じて傾斜している場合に、当該継目板のある箇所に設けられているレール締結装置の板ばね部材先端とレールの下部フランジ上面との間に、前記板ばね部材を固定する手段と前記継目板との干渉を防止するためのすきま調整ピースを介挿することを特徴とする請求項１〜３の何れかに記載の線路移動方法。
【請求項５】
請求項１〜４の何れかに記載の線路移動方法に用いられるレール支持装置であって、
既設レール敷設部位から新レール敷設部位に跨って設置可能な長さを有する長枕木と、
前記長枕木上にタイプレートと共に取り付けられレールを枕木に固定するためのレール締結装置と、を備え、
既設レールまたは新レールのうち外軌のレールが設置される部位には、カントに応じた高さの扛上部を有する特殊タイプレートが設置され、
既設レールまたは新レールのうち内軌のレールが設置される部位および直線状のレールが設置される部位には、前記扛上部を有しないタイプレートが設置されていることを特徴とするレール支持装置。
【請求項６】
前記特殊タイプレートの前記扛上部の上面と前記既設レールの底面との間には、カントに応じた厚みおよび勾配を有する調整用パッキンが介挿されていることを特徴とする請求項５に記載のレール支持装置。
【請求項７】
前記特殊タイプレートの前記扛上部には、軽量化のための空洞部が設けられていることを特徴とする請求項５または６に記載のレール支持装置。
【発明の詳細な説明】
【技術分野】
【０００１】
本発明は、鉄道軌道において、カント（傾斜）のある線路からカントのない真っ直ぐな線路に切換える場合やカントのない線路からカントのある線路に切換える場合等の線路移動方法およびその際に使用するレール支持装置に利用して有効な技術に関する。
【背景技術】
【０００２】
鉄道軌道においては、例えば駅ホームを改修したり移動したりする際に、湾曲して敷設されている線路を真っ直ぐな線路に切換える工事が必要になることがある。しかも、鉄道事業の有する高い公共性の観点から、上記のような線路切換工事は、列車の運行を停止させずに行う必要があるため、夜間の限られた短い時間帯に完了したいという要請がある。しかし、線路切換工事においては枕木の交換が必要となることがあり、その場合には、枕木の交換の際にバラスト軌道ではバラストの除去、埋め戻しが必要であり、作業時間が長くなってしまうという課題があった。
【０００３】
従来、既に敷設されている旧線路（既設レール）に渡り線を追加して新線路に切換える工事を短時間に完了させることができる線路切換方法として、旧線路の枕木（ＰＣ枕木）のうち新線路と交差または分岐する部分の枕木を、予め旧線路と新線路に跨る長さを有する長枕木（合成枕木）に置き換えるとともに、該長枕木の旧線路に支障しない箇所に新線用のタイプレートを設置しておくことにより、線路切換の最終段階の工事を行う当日の作業量を減らして、短時間に工事を完了させることができるようにしたものがある（非特許文献１）。
【先行技術文献】
【非特許文献】
【０００４】
【非特許文献１】一般社団法人日本鉄道施設協会発行「第30回総合技術講演会概要集（停車場・計画）（建造物検査）」Ｐ9-Ｐ12、平成26年10月23日開催、第29回総合技術講演会発表、演題「大規模集客施設に隣接し車庫線を備えた駅移転計画」、講演者：京阪電気鉄道株式会社  石阪良治
【特許文献】
【０００５】
【特許文献１】特開２０１４−８８６８０号公報
【発明の概要】
【発明が解決しようとする課題】
【０００６】
しかしながら、上記非特許文献１に記載されている線路切換方法は、旧線路がカントを有していないことを前提とした工法であり、旧線路がカントを有している箇所には適用できない。つまり、既存の鉄道軌道においては、線路がカントを有している箇所では枕木がカントに応じて傾斜した状態で配設されているため、新設しようとしている線路が真っ直ぐな線路であってカントが不要な場合、旧線路の枕木を長枕木に置き換えたくても置き換えることができないという課題があった。
【０００７】
一方、既設の普通タイプレートを、既存のまくら木との組み合わせによりレールに計画カントを設定する形状を有するカント変更用特殊タイプレートに交換する工程と、前記既存のまくら木及び前記カント変更用特殊タイプレートを、前記普通タイプレートとの組み合わせにより前記レールに計画カントを設定する形状を有する新規まくら木及び前記普通タイプレートに交換する工程とを含む線路のカント変更工法に関する発明が提案されている（特許文献１参照）。
【０００８】
特許文献１に記載されている発明は、既設レールのカントを変更するために開発された工法であって、変更後の線路は既設レールとほぼ同じ位置にあり、新線路が旧線路と異なる位置に敷設される際の線路切換にそのまま適用することはできない。
本発明は上記のような課題に着目してなされたもので、旧線路（既設レール）がカントを有している一方、新線路にカントがない場合、あるいはカントのない旧線路からカントのある新線路に切換える場合やカントの異なる新線路に切換える場合において、線路切換の最終段階の工事を行う当日の作業量を減らして、短時間に工事を完了させることができる線路移動方法およびその際に用いるレール支持装置を提供することを目的とする。
【課題を解決するための手段】
【０００９】
上記目的を達成するため、この発明に係る線路移動方法は、
既設レールを固定するレール締結装置およびタイプレートを除去して既設レールを支持する枕木を、既設レール敷設部位から新レール敷設部位に跨る長枕木に置き換えて、当該長枕木を道床上に水平に設置する第１工程と、
前記既設レールまたは新レールが有するカントに応じた高さの扛上部を備えた特殊タイプレートを前記長枕木上の所定部位に設置して、レール締結装置により、カントのある既設レールまたは新レールを固定する第２工程と、
前記長枕木の既設レール敷設部位以外の部位であって前記既設レールの延長上の新レール敷設予定の部位に新レールを敷設して、新たなタイプレートおよびレール締結装置によって前記新レールを固定する第３工程と、
前記既設レールのうち、前記新レールの延長上に位置するレール部分のレール締結装置およびタイプレートを除去する第４工程と、
設置済みの前記新レールと連続するようにレールを移設もしくは追加して、タイプレートおよびレール締結装置によって前記移設または追加したレールを固定する第５工程と、
含むようにしたものである。
【００１０】
上記手順の工法によれば、既設レールのカントに応じた高さを有する特殊タイプレートを長枕木上に設置してレール締結装置により既設レールを固定する第２工程を有するため、カント部の傾斜した既設の枕木に替えて水平な長枕木を設置することができるとともに、これにより真っ直ぐな新レールの一部を前もって長枕木上に敷設することができるので、カントのある線路からカントのない新線路に切換える場合に、線路切換の最終段階の工事を行う当日の作業量を減らして、短時間に工事を完了させることができる。
【００１１】
さらに、前記第５工程の後、前記長枕木上に残留する既設レールおよび該既設レールを固定するレール締結装置およびタイプレートを除去するとともに、残留する既設レールを撤去する工程を実施することにより、線路切換およびその後に既設レールをすべて撤去して更地のような状態にするまでのすべての工事を、列車が走行しない夜間の時間帯のみを利用して実施することができ、工事に伴う列車の運休やダイヤの変更を回避することができる。
【００１２】
ここで、望ましくは、前記第１工程においては、予め所定の間隔をおいて複数の個所に、前記タイプレートを前記長枕木に固定するボルトもしくはネジを螺合させるための埋込栓またはネジ穴を形成した長枕木を設置し、
前記第５工程においては、前記複数個所の埋込栓またはネジ穴のうちいずれかを選択して前記タイプレートを前記長枕木に固定するようにする。
【００１３】
このようにすることにより、線路切換の最終段階の工事で既設のレール（旧レール）を移設する際に、レールを固定する位置として、複数個所の埋込栓またはネジ穴の中から１つを選択することができ、これにより既に敷設されている新レールと連続する位置に移設レールを容易かつ正確に合致させて固定することができる。なお、長枕木として合成枕木を使用する場合には、枕木に対してネジ穴を現場にてレール設置状況に応じて形成することも可能である。
【００１４】
また、望ましくは、カントのある既設レールをカントのない新レールに切換える工事に適用される場合に、前記第５工程においては、前記既設レールのうち曲線部を真っ直ぐに矯正して前記直線状のレールに変更するようにする。
このようにすることにより、カント部の既設レールをすべて撤去して新レールに置き換える場合に比べて、レールの移送作業が軽減され、最終段階の工事を行う当日の作業時間を短縮することができるとともに、レールの無駄を少なくしてコストダウンを図ることができる。
【００１５】
また、望ましくは、前記第２工程においては、前記新レールの端部から移設または追加された前記既設レールの端部に連続する部位に継目板を取り付けるとともに、当該継目板のある箇所のレールがカントに応じて傾斜している場合に、当該継目板のある箇所に設けられているレール締結装置の板ばね部材先端とレールの下部フランジ上面との間に、前記板ばね部材を固定する手段と前記継目板との干渉を防止するためのすきま調整ピースを介挿するようにする。
このようにすれば、レール締結装置の板ばね先端とレールのフランジ上面との間にすきま調整ピースを介挿することにより、継目板と板ばねを固定する手段（ボルト）との干渉を防止することができ、これによってレール締結装置のボルトを締め付けることができなくなる事態が生じるのを回避することができる。
【００１６】
また、本出願の他の発明に係るレール支持装置は、上述したような線路移動方法に用いられるレール支持装置であって、
既設レール敷設部位から新レール敷設部位に跨って設置可能な長さを有する長枕木と、
前記長枕木上にタイプレートと共に取り付けられレールを枕木に固定するためのレール締結装置と、を備え、
既設レールまたは新レールのうち外軌のレールが設置される部位には、カントに応じた高さの扛上部を有する特殊タイプレートが設置され、
既設レールまたは新レールのうち内軌のレールが設置される部位および直線状のレールが設置される部位には、前記扛上部を有しないタイプレートが設置されているようにしたものである。
【００１７】
上記構成によれば、既設レールのカントに応じた高さの扛上部を有する特殊タイプレートが長枕木上に設置されているため、カント部の傾斜した既設の枕木に替えて水平な長枕木を設置することができ、これにより真っ直ぐな新レールの一部を前もって長枕木上に敷設することができるようになる。
【００１８】
また、望ましくは、前記特殊タイプレートの前記扛上部の上面と前記既設レールの底面との間には、カントに応じた厚みおよび勾配を有する調整用パッキンが介挿されているようにする。
かかる構成によれば、パッキンの厚みと傾斜でレールの高さと傾きを調整できるため、扛上部の高さや傾斜の異なる多数の特殊タイプレートを用意しておかなくても、カーブ箇所全体にわたって滑らかにカントが変化するレールを敷設することができる。
【００１９】
さらに、望ましくは、前記特殊タイプレートの前記扛上部には、軽量化のための空洞部が設けられているようにする。
かかる構成によれば、特殊タイプレートを軽量化することができ、これによって線路切換作業の負担を軽減することができるとともに工事の所要時間を短縮することができる。
【発明の効果】
【００２０】
本発明に係る線路移動方法およびレール支持装置によれば、旧線路（既設レール）がカントを有している一方、新線路にカントがない場合、あるいはカントのない旧線路からカントのある新線路に切換える場合やカントの異なる新線路に切換える場合において、線路切換の最終段階の工事を行う当日の作業量を減らして、短時間に工事を完了させることができるという効果がある。
【図面の簡単な説明】
【００２１】
【図１】本発明に係る線路移動方法の一実施形態を施工順に示す平面図である。
【図２】（Ａ），（Ｂ）は実施形態の線路移動方法に使用するレール支持装置の具体例を示す断面正面図である。
【図３】扛上部を有するタイプレートの例を示す斜視図である。
【図４】レール底面とタイプレートとの間に配設する角度調整パッキンの断面形状の例を示す断面図である。
【図５】（Ａ）は枕木に形成する埋込栓の配設例を示す平面図、（Ｂ），（Ｃ）は枕木上にタイプレートをそれぞれずらした位置に設置した状態を示す平面図である。
【図６】実施形態のレール締結装置の変形例を示す要部拡大図である。
【発明を実施するための形態】
【００２２】
以下、図面を参照して、本発明に係る線路移動方法の実施形態について詳細に説明する。
図１（Ａ）〜（Ｅ）は、本実施形態の線路移動方法が適用される線路箇所の状態を施工順に示す平面図である。図１に示すように、本実施形態の線路移動方法は、（Ａ）に示すように曲がって敷設されている線路を、（Ｅ）に示すように真っ直ぐな線路に敷き直す工事に適用される。図１（Ａ）に示す線路は、曲線部を有しているため、カントが設けられており、レールＲ１，Ｒ２を支持する枕木１０のうちカーブ箇所に配設されているものは、外側端部が内側端部よりも高くなるように傾斜して配設されている。また、図１には示されていないが、レールＲ１，Ｒ２は、下部フランジ部がレール締結装置によって枕木１０の上に固定されている。
【００２３】
本実施形態の工事では、事前作業として先ず、図１（Ｂ）に示すように、カーブ箇所に配設されている枕木１０を、例えば直線箇所の枕木と平行をなし、かつ外側端部（図では下側端部）が直線状に並ぶ長枕木１１に置き換える。工事対象の軌道がバラスト軌道の場合には、バラストを除去してから、レール締結装置を外した後に、元の枕木１０を取り除き、予めタイプレートが取り付けられている長枕木１１に置き換えてから、バラストを埋め戻し、レール締結装置でレールＲ１，Ｒ２を新設の長枕木１１に固定する。ここで、上記長枕木１１には、後述のように、カントに応じて予め高さの異なるタイプレートを取り付けておくことで、レールのカントを保持したまま、長枕木１１を道床上に水平に配設することができる。
【００２４】
なお、バラストの除去には比較的時間を要するので、カーブ箇所に配設されているすべての枕木１０を夜間の列車が走行しない時間内に１日で置き換えること困難であるので、その場合には、複数日にわたり夜間作業で順に置き換えを実施すればよい。また、図１では、元の枕木１０と置換える長枕木１１を直線箇所の枕木と平行をなすつまり新線路と直角となるように配設しているが、斜めになるように配設しても構わない。
次に、新設の長枕木１１上であってカーブ箇所のレールの外側には、図１（Ｂ）に示すように、新しい直線レール１２Ａ，１２Ｂを敷設する。この新レール敷設工事は、昼間の時間帯に実施することも可能である。
【００２５】
次に、図１（Ｃ）に示すように、カーブ箇所の一部のレールを撤去するとともに、太線のハッチングが付されている部分のレールについては、レール締結装置を外して移動可能にする。続いて、図１（Ｄ）に示すように、レール締結装置を外した部分のレールを真っ直ぐに伸ばし、余剰部分がある時には余剰部分を切除してから、レール締結装置でレールを長枕木１１上に固定する。図１（Ｃ），（Ｄ）の工事は、作業が簡単で量も少ないので、切換当日の夜間の列車が走行しない時間内に完了することができる。
【００２６】
その後、残留する既設レールを撤去して工事を終了しても良いし、図１（Ｅ）に示すように、長枕木１１を通常の長さの枕木１０に置き換えて工事を終了しても良い。なお、近年の軌道には、軌道を構成するバラスト、枕木を撤去し、路盤上に透水性のある不織布とバラストを敷き詰め、幅広型のコンクリート枕木を設置した後、凝固性のあるセメントモルタル系のてん充材を注入するＴＣ型省力化軌道のような、バラスト交換や道床つき固めなどのメンテナンス作業が不要な軌道があるので、そのような軌道の工事を実施して図１（Ｄ）に示す状態から図１（Ｅ）の状態にしても良い。なお、図１の実施例では、（Ｃ）に示すように、既設のレールの一部（鎖線部分）を撤去しているが、例えば新レール１２Ｂを新レール１２Ａと同じ長さにして、適切な位置で切断した旧レールを移動するのみで新しい線路への切換を実施できるようにすることも可能である。
【００２７】
次に、上記線路移動方法の実施の際に使用する枕木および該枕木に固定されたレール締結装置とから構成され、枕木と一体となってレールを支持するレール支持装置について、図２〜図５を用いて説明する。図２のうち、（Ａ）は図１（Ｂ）におけるＩＩＡ−ＩＩＡ線に沿った断面図、（Ｂ）は図１（Ｂ）におけるＩＩＢ−ＩＩＢ線に沿った断面図を示す。
上記実施形態の線路移動方法に使用するレール支持装置は、図２（Ｂ）に示すように、水平に配設された長枕木１１と、該長枕木１１に埋設された埋込栓１９に螺合される固定用ネジ１３によって、一対のレールＲ１，Ｒ２に対応して長枕木１１の上に固定された一対のタイプレート１４Ａ，１４Ｂとを備え、該タイプレート１４Ａ，１４Ｂの中央のレール載置部上に調整用パッキン１５Ａ，１５Ｂおよび軌道パッド１６Ａ，１６Ｂを介してレールＲ１，Ｒ２が載置されている。なお、調整用パッキンには、高さ調整パッキンと角度調整パッキンとがあるが、図２においては、図示の都合でこれらを区別せずに描いてある。
【００２８】
そして、上記レールＲ１，Ｒ２の下部フランジに、締結ボルト１７によってタイプレート１４Ａ，１４Ｂに固定された一対の板ばね部材１８の先端がそれぞれ当接され、この板ばね部材１８の付勢力によってレールＲ１，Ｒ２の下部フランジがタイプレート１４Ａ，１４Ｂに向かって押圧されることで、レールＲ１，Ｒ２が長枕木１１上に固定される。また、調整用パッキン１５Ａ，１５Ｂは、内側に向かうほど厚みが薄くなるクサビ状をなしており、これにより各レールＲ１，Ｒ２の上面は内側に向かって１／４０の勾配（角度：１．５°）を有して傾斜するように構成されている。なお、本実施形態では、上記締結ボルト１７と板ばね部材１８とによってレール締結装置が構成される。
【００２９】
本実施形態のレール支持装置は、図２（Ｂ）に示すカントが必要な部位における外軌側のタイプレート１４Ｂ’には、図３に示すような上面が内側に傾斜し全体として台形状をなす扛上部１４ａを有するものが使用されている。また、軌道のカントは線路のカーブ箇所の中央が最も大きく両側の直線部へ向うほどカントは小さくなるので、扛上部１４ａの高さが段階的に異なる複数（例えば１０段階）のタイプレート１４Ｂ’を用意しておく。また、カント部に配設される長枕木１１の側部（図２では右側部）には、新レール１２Ｂを載置するタイプレート１４Ｃが設けられている。
【００３０】
なお、扛上部１４ａを有するタイプレート１４Ｂ’は重量が大きくなるので、空洞部１４ｂを設けて軽量化を図るのが良い。空洞部１４ｂを設けて軽量化を図ることによってタイプレートの取り扱いが容易となり、工事の作業性を向上させることができる。
【００３１】
さらに、本実施形態においては、カントの大きさを緩やかに変化させることができるようにするため、図４（Ａ）〜（Ｃ）に示すような断面形状を有し、厚みおよび傾斜の異なる複数種類（例えば６種類）の調整用パッキンを用意しておく。このうち一つの調整用パッキンは、図４（Ｂ）に示すように、厚みが均一のものとする。カント部の内軌側のタイプレート１４Ａには、カントの角度に応じて、図４（Ａ）〜（Ｃ）のいずれかのタイプが使用される。一方、外軌側のタイプレート１４Ｂ’には、図４（Ｃ）のタイプで、厚みや傾斜角が異なるものが使用される。
【００３２】
なお、扛上部のないタイプレート１４Ａ側においても、カントが大きくなると、図２（Ｂ）に示すように、カント面に対して内軌側のレールＲ１を１／４０の勾配で傾けるために、調整用パッキンとして厚みが内側へ行くほど厚くなるものを使用する場合があるが、上記６種類の調整用パッキンの中から適切なものを選んで使用することができるようにしてある。そして、調整用パッキンを使い分けることで、内軌側のタイプレート１４Ａとしては、カントの大きさにかかわらず中央のレール載置部が水平で高さが同一のものを使用することができる。これにより、内軌側のレールＲ１には、カントに応じて内側へ傾く部位と外側へ傾く部位を生じさせることができる。
【００３３】
次に、本実施形態のレール支持装置を構成する長枕木１１およびレール締結装置（１７，１８）について説明する。
長枕木１１としては、図１から分かるように長さが異なる複数種類（例えば５種類）のものを用意しておくのが望ましいため、型枠を製造するコストの面からＰＣ（プレストレスト・コンクリート）枕木よりもガラス繊維と硬質発泡ポリウレタン樹脂等によって形成される合成枕木を使用するのが良い。
【００３４】
そして、この長枕木１１には、レールＲ１，Ｒ２を固定するための図２に示すようなタイプレート１４Ａ，１４Ｂの他、新レールを固定するためのタイプレート（図２（Ａ）に示すタイプレート１４Ａと同一構成のもの）を取り付けるため埋込栓またはネジ釘をねじ込み易くする穴を設けておく。
【００３５】
さらに、線路切換工事時に、枕木の位置を変更せずにレールの通り変位を整正したいため、タイプレートの固定位置の調整幅として、通常よりも大きな調整量を確保する必要性がある場合がある。
そのため、本実施形態のレール支持装置を構成する長枕木１１においては、図５（Ａ）に示すように、現在線と将来線形の理論値となる位置に、調整用の埋込栓１９ａ1，１９ｂ1と１９ａ2，１９ｂ2が設けられている。なお、図５（Ａ）において、埋込栓１９ａ1，１９ｂ1と１９ａ2，１９ｂ2の位置が枕木幅方向（図の上下方向）にずれているのは、タイプレートを固定する一対のボルトをはす向かいに配置する構成を採用し、はす向かいの方向を図５（Ｂ）または（Ｃ）のいずれかに選択できるようにしているためである。
【００３６】
上記２種類の取付け方を可能にするため、図３に示すように、タイプレート１４Ｂ’には、レール載置部（扛上部）を挟んだ両側翼部に２個ずつ計４個の長方形上の座金挿入口１４ｃが設けられているとともに、この座金挿入口１４ｃの長手方向の内壁面には、ラック１４ｄが形成されている。しかも、このラック１４ｄは対向する面同士で半ピッチずれるように形成されている。そして、上記座金挿入口１４ｃ内に、上記ラック形成面に対応する両側面に同じくラックが形成されている調整座金２０が挿入可能に構成されている。扛上部を有しないタイプレート１４Ａ，１４Ｂも同様である。
【００３７】
また、調整座金２０の両側面のラック同士も半ピッチずれるように形成されているとともに、中央には前記埋込栓１９ａ，１９ｂに螺合される固定用ボルト２１もしくはネジ釘が挿通されるボルト挿通穴２０ａが形成されている。
上記のように座金挿入口１４ｃの内壁面と調整座金２０の側面のラックが構成されていることにより、ラックの噛み合せ位置を変えることで、調整座金２０をタイプレート１４に対して相対的にずらすことができる。このとき、調整座金２０はボルト挿通穴２０ａに固定用ボルト２１もしくはネジ釘が挿通され埋込栓１９ａ，１９ｂに螺合されることで、移動不能にされるため、枕木に対するタイプレート１４の位置を変えることができることとなる。
【００３８】
そして、そのときの調整量はラックのピッチの整数倍であり、座金挿入口１４ｃと調整座金２０の長さの差（例えば２０ｍｍ）以上は調整することができない。そこで、そのような場合には、固定用ボルト２１が螺合される埋込栓１９ａ，１９ｂを変えることで、さらに大きくタイプレート１４の位置を変えることができるようになっている。
なお、タイプレート１４の中央のレール載置部の両側には位置規制用の一対の突状１４ｅが形成されており、この突状１４ｅの中央に、板ばね部材１８を固定するための締結ボルト１７の頭部が嵌合される凹部１４ｆ（図３参照）が設けられている。締結ボルト１７は上下が逆すなわち頭部を下にした状態で突状１４ｅにセットされ、締結ボルト１７の雄ネジ部に板ばね部材１８の穴を挿通させてから、ナット１７ａを螺合させて締め付けることで、板ばね部材１８がタイプレート１４に固定されるようになる。
【００３９】
上記のように、本実施形態の線路移動方法においては、曲がっている旧レールＲ１，Ｒ２を真っ直ぐに伸ばして新レール１２Ａ，１２Ｂと連続させる工事を行うことで、旧レールを再利用するようにしているため、カント部の旧レールをすべて撤去して新レールに置き換える場合に比べて、レールの移送作業が軽減され、最終段階の工事を行う当日の作業時間を短縮することができるとともに、レールの無駄を少なくしてコストダウンを図ることができる。また、レール底面とタイプレートとの間に介挿する複数のパッキンを用意してあるため、パッキンの厚みと傾斜でレールの高さと傾きを調整でき、これにより扛上部の高さや傾斜の異なる多数の特殊タイプレートを用意しておかなくても、カーブ箇所全体にわたって滑らかにカントが変化するレールを敷設することができる。
【００４０】
また、上記実施形態の線路切換工事のように、曲がっている旧レールＲ１，Ｒ２を撤去または移設する工事を行う場合には、レール締結装置を緩めて旧レールを外した際に枕木にかかっていた横方向への応力が解放されること等で、枕木が移動して埋込栓の位置が当初想定して位置からずれてしまうことが考えられる。そのため、枕木に設けられている埋込栓が１組のみである場合には、レール締結装置に設けられている調整座金２０の移動だけでは調整しきれないことがあり、それによって枕木全体を横にずらす余分な作業が発生して作業時間が長くなるおそれがある。これに対し、上記実施形態では、上述したように予め所定の間隔をおいて複数個所に埋込栓を設けているため、レール締結装置の位置調整が容易となり、作業時間を短縮することができる。
【００４１】
なお、上記実施形態では、カント部分の内軌側レールについては扛上部を有していない通常のタイプレートと調整用パッキンを使用し外軌側レールについては扛上部を有する特殊タイプレートと調整用パッキンを使用して調整を行うと説明したが、内軌側レールは調整用パッキン（角度調整パッキンおよび／または高さ調整パッキン）と扛上用鋼板を用いることで適正なカント調整とレールの高低調整を行い、外軌側は扛上部を有する特殊タイプレートと調整用パッキン（角度調整パッキンおよび／または高さ調整パッキン）と扛上用鋼板を用いることで、適正なカント調整とレールの高低調整を行うようにしても良い。また、微少なカントでは、内軌・外軌とも通常のタイプレートと角度調整パッキンを用い、外軌側はさらに高さ調整パッキンや扛上用鋼板を挿入することで適正なカントまで扛上させるようにしても良い。
【００４２】
次に、図６を用いて、上記実施形態の変形例について説明する。
上記実施形態では、曲がっている旧レールＲ１，Ｒ２を切断し真っ直ぐに伸ばして新レール１２Ａ，１２Ｂと連続させているため、新レールと旧レールとが連続する部分すなわちレール同士の継目においては、レール側面に継目板が装着される。また、上記実施形態では、カントに対応した傾斜をレールに持たせるため、レール底面とタイプレート１４との間にクサビ状の調整用パッキン１５を介挿するように構成している。
【００４３】
そのため、レールの傾斜が大きくかつ新レールと移動した旧レールとの継目にレール締結装置が来ることがある。このような場合、図６に示すように、継目板２３が、板ばね部材１８の締結ボルト１７のナット１７ａと干渉してしまい締め付けを行えなくなる状況が発生するおそれがある。
そこで、この変形例では、図６に示すように、板ばね部材１８の先端とレールＲの下部フランジの上面との間に、断面が平行四辺形をなし変形しにくい剛性材料で形成されたすきま調整ピース２２を介在させることによって、板ばね部材１８の締結ボルト１７がレール側へ大きく傾いて継目板２３と干渉するのを回避するようにしている。
【００４４】
以上、本発明の一実施形態について説明したが、本発明は上記実施形態に限定されるものではなく、種々の変更が可能である。例えば、上記実施形態では、枕木に対するタイプレートの位置を調整可能にするため、枕木に予め複数の埋込栓１９を設けておくとともに、ラックを有する調整座金２０を使用したものを示したが、いずれか一方の構成、すなわち複数の埋込栓１９のみを設ける構成や調整座金２０のみを設ける構成も可能である。
【００４５】
また、レール締結装置は、上記実施形態のように板ばねの先端で直接レールのフランジを押さえ込むものに限定されず、ばねで押圧された押さえ具を介してフランジを押さえ込むように構成したものであっても良い。あるいは、レールのフランジの一方はブロック状の押さえ具で押さえ、他方のフランジは板ばねで押さえ込むものであっても良い。
さらに、本発明は、カントのある線路からカントのない真っ直ぐな線路に切換えるための工事に限定されず、カントのない真っ直ぐな線路からカントのある線路に切換える工事や、所定のカントのある線路からこれとはカントの量（傾き）が異なる線路に切換えるための工事にも利用することができる。
【符号の説明】
【００４６】
Ｒ    既設レール（旧レール）
１０  枕木
１１  長枕木
１２  新レール
１３  固定用ネジ
１４  タイプレート
１５  調整用パッキン
１７  締結ボルト（レール締結装置）
１８  板ばね部材（レール締結装置）
１９  埋込栓
２０  調整座金
２１  固定用ボルト
２２  すきま調整ピース
２３  継目板
【図１】
2018119261.tif 000003
【図２】
2018119261.tif 000004
【図３】
2018119261.tif 000005
【図４】
2018119261.tif 000006
【図５】
2018119261.tif 000007
【図６】
2018119261.tif 000008